(57)【要約】【課題】高温差し湯経路の電磁弁が開故障したときでも浴槽内の湯水の温度が過度に上昇しない給湯装置を提供する。【解決手段】給湯経路４から分岐された高温差し湯経路５に高温差し湯電磁弁２７が備えられている給湯装置１において、制御部７に上記電磁弁２７の開故障を検出する故障検出手順を備えさせ、この故障検出手順によって上記電磁弁２７の開故障が検出されているときに給湯運転を行うときは、缶体２から出湯する温水の設定温度を給湯設定温度近くまで下げて給湯運転を行う。【選択図】図１
2015222134.tif 000002
【特許請求の範囲】
【請求項１】
缶体からの温水を給湯栓に供給する給湯運転用の給湯経路と、前記給湯経路から分岐され、前記缶体から浴槽に高温の温水を供給する高温差し湯運転用の高温差し湯経路とを備え、この高温差し湯経路に電磁弁が備えられている給湯装置において、
制御部が、前記電磁弁の開故障を検出する故障検出手順を有し、この故障検出手順によって前記電磁弁の開故障を検出した状態で給湯運転を行うときは、前記浴槽内の温水の温度の上昇を抑制する所定の安全給湯運転を行う制御構成を備えている
ことを特徴とする給湯装置。
【請求項２】
前記安全給湯運転は、前記缶体から出湯する温水の設定温度を、前記電磁弁の開故障が検出されていない状態の設定温度よりも低い所定の安全温度に変更することを特徴とする請求項１に記載の給湯装置。
【請求項３】
前記安全給湯運転は、前記給湯運転の連続運転許容時間を、前記電磁弁の開故障が検出されていない状態の許容時間よりも短い所定の安全時間に変更することを特徴とする請求項１に記載の給湯装置。
【請求項４】
前記高温差し湯経路を介して前記浴槽に供給される温水の温度を検出する温度センサを備え、
前記制御部は、前記故障検出手順として、高温差し湯運転を停止している状態で給湯運転を行っているときに、前記温度センサの検出値に基づいて前記電磁弁の開故障の有無を判定する制御構成を備えている
ことを特徴とする請求項１から３のいずれかに記載の給湯装置。
【請求項５】
前記給湯用の温水と水源から供給される水とを混合して前記高温差し湯経路に供給する注湯運転用の注湯経路を備え、
前記制御部は、前記故障検出手順として、高温差し湯運転および注湯運転が停止している状態で給湯運転を行っているときに、前記温度センサの検出値に基づいて前記電磁弁の開故障の有無を判定する制御構成を備えている
ことを特徴とする請求項４に記載の給湯装置。
【請求項６】
前記缶体から出湯される湯水の流量を検出する流量センサと、前記電磁弁と直列に配設され、前記高温差し湯経路の流量を調整する流量調整弁とを備え、
前記制御部は、前記故障検出手順として、高温差し湯運転および給湯運転が停止している状態で前記流量調整弁の開度を制御し、そのときの前記流量センサの検出値に基づいて前記電磁弁の開故障の有無を判定する制御構成を備えている
ことを特徴とする請求項１から３のいずれかに記載の給湯装置。
【請求項７】
前記給湯用の温水と水源から供給される水とを混合して前記高温差し湯経路に供給する注湯運転用の注湯経路を備え、
前記制御部は、前記故障検出手順として、高温差し湯運転、給湯運転および注湯運転が停止している状態で前記流量調整弁の開度を制御し、そのときの前記流量センサの検出値に基づいて前記電磁弁の開故障の有無を判定する制御構成を備えている
ことを特徴とする請求項６に記載の給湯装置。
【発明の詳細な説明】
【技術分野】
【０００１】
この発明は給湯装置に関し、より詳細には、浴槽内の温水を昇温させるために高温の温水を浴槽に供給する高温差し湯機能を備えた給湯装置に関する。
【背景技術】
【０００２】
従来、浴槽への湯張り機能（注湯運転機能）を備えた給湯装置であって、ふろ追い焚き機能を備えていない給湯装置においては、浴槽内の温水の温度が低下したときに、缶体で生成された高温の温水を浴槽に供給して（いわゆる差し湯を行って）、浴槽内の温水の温度を昇温させる高温差し湯機能を備えたものがある（たとえば、特許文献１参照）。
【０００３】
このような高温差し湯機能を備えた給湯装置では、高温差し湯運転用の高温差し湯経路は、カランなどの給湯栓に温水を供給する給湯運転用の給湯経路から分岐して設けられており、缶体から出湯する高温の温水が、この高温差し湯経路を介して浴槽に供給されるように構成されている。
【先行技術文献】
【特許文献】
【０００４】
【特許文献１】特開２００４−３５３９８５号公報
【発明の概要】
【発明が解決しようとする課題】
【０００５】
しかしながら、このような従来の給湯装置には以下のような問題があり、その改善が望まれていた。
【０００６】
すなわち、この種の給湯装置においては、高温差し湯経路に電磁弁（高温差し湯電磁弁）を備えたものがあるが、この電磁弁が故障やゴミ噛みなどによって完全に閉止できない状態（いわゆる開故障）に陥ると、給湯運転時に缶体から出湯される高温の温水の一部が高温差し湯経路を介して浴槽に流入し、浴槽内の湯水の温度が意図しない高温になるおそれがあった。
【０００７】
本発明は、このような従来の問題点に鑑みてなされたものであって、その目的とするところは、高温差し湯経路の電磁弁が開故障したときでも浴槽内の湯水の温度が過度に上昇しない給湯装置を提供することにある。
【課題を解決するための手段】
【０００８】
上記目的を達成するため、本発明の請求項１に記載の給湯装置は、缶体からの温水を給湯栓に供給する給湯運転用の給湯経路と、上記給湯経路から分岐され、上記缶体から浴槽に高温の温水を供給する高温差し湯運転用の高温差し湯経路とを備え、この高温差し湯経路に電磁弁が備えられている給湯装置において、制御部が、上記電磁弁の開故障を検出する故障検出手順を有し、この故障検出手順によって上記電磁弁の開故障を検出した状態で給湯運転を行うときは、上記浴槽内の温水の温度の上昇を抑制する所定の安全給湯運転を行う制御構成を備えていることを特徴とする。
【０００９】
すなわち、この請求項１に係る給湯装置では、高温差し湯経路の電磁弁の開故障を検出する故障検出手順が制御部に備えられており、この故障検出手順によって制御部が高温差し湯経路の電磁弁が開故障しているか否かを判定する。そして、高温差し湯経路の電磁弁が開故障していると判定された状態で給湯運転を行う場合、制御部は浴槽内の温水の温度の上昇を抑制する所定の安全給湯運転を行うので、給湯運転に伴って浴槽内の湯水の温度が過度に高温になることが防止される。
【００１０】
本発明の請求項２に記載の給湯装置は、請求項１に記載の給湯装置において、上記安全給湯運転は、上記缶体から出湯する温水の設定温度を、上記電磁弁の開故障が検出されていない状態の設定温度よりも低い所定の安全温度に変更することを特徴とする。
【００１１】
すなわち、この請求項２に係る給湯装置では、高温差し湯経路の電磁弁が開故障していると判定された状態で給湯運転を行う場合、缶体から出湯する温水の設定温度が開故障していないときの設定温度よりも低い安全温度に変更されるので、給湯運転に伴って高温の温水が高温差し湯経路から浴槽に流れ込むことが回避される。
【００１２】
本発明の請求項３に記載の給湯装置は、請求項１に記載の給湯装置において、上記安全給湯運転は、上記給湯運転の連続運転許容時間を、上記電磁弁の開故障が検出されていない状態の許容時間よりも短い所定の安全時間に変更することを特徴とする。
【００１３】
すなわち、この請求項３に係る給湯装置では、高温差し湯経路の電磁弁が開故障していると判定された状態で給湯運転を行う場合、給湯運転の連続運転許容時間が開故障していないときの許容時間よりも短縮されるので、給湯運転に伴って高温の温水が大量に浴槽に流れ込むことが防止される。そのため、この請求項３に係る給湯装置では、高温差し湯電磁弁が開故障している状態で給湯運転を行っても浴槽内の湯水の温度が過度に上昇することが抑制される。
【００１４】
本発明の請求項４に記載の給湯装置は、請求項１から３のいずれかに記載の給湯装置において、上記高温差し湯経路を介して上記浴槽に供給される温水の温度を検出する温度センサを備え、上記制御部は、上記故障検出手順として、高温差し湯運転を停止している状態で給湯運転を行っているときに、上記温度センサの検出値に基づいて上記電磁弁の開故障の有無を判定する制御構成を備えていることを特徴とする。
【００１５】
すなわち、請求項４に係る給湯装置では、高温差し湯運転が停止している状態で給湯運転を行っているときに、高温差し湯経路を介して浴槽に供給される温水の温度を検出する温度センサの検出値に基づいて制御部が高温差し湯経路の電磁弁の開故障の有無を判定する。つまり、電磁弁が開故障していれば、給湯運転の開始に伴って温度センサの検出温度が上昇するので、この上昇の有無から電磁弁が開故障しているか否かを判定する。
【００１６】
本発明の請求項５に記載の給湯装置は、請求項４に記載の給湯装置において、上記給湯用の温水と水源から供給される水とを混合して上記高温差し湯経路に供給する注湯運転用の注湯経路を備え、上記制御部は、上記故障検出手順として、高温差し湯運転および注湯運転が停止している状態で給湯運転を行っているときに、上記温度センサの検出値に基づいて上記電磁弁の開故障の有無を判定する制御構成を備えていることを特徴とする。
【００１７】
すなわち、請求項５に係る給湯装置では、高温差し湯運転および注湯運転の双方が停止している状態で給湯運転を行っているときに、高温差し湯経路を介して浴槽に供給される温水の温度を検出する温度センサの検出値に基づいて制御部が高温差し湯経路の電磁弁の開故障の有無を判定する。この請求項５に係る給湯装置も請求項４に係る給湯装置と同様に、電磁弁が開故障していれば、給湯運転の開始に伴って温度センサの検出温度が上昇するので、この上昇の有無から電磁弁が開故障しているか否かを判定する。
【００１８】
本発明の請求項６に記載の給湯装置は、請求項１から３のいずれかに記載の給湯装置において、上記缶体から出湯される湯水の流量を検出する流量センサと、上記電磁弁と直列に配設され、上記高温差し湯経路の流量を調整する流量調整弁とを備え、上記制御部は、上記故障検出手順として、高温差し湯運転および給湯運転が停止している状態で上記流量調整弁の開度を制御し、そのときの上記流量センサの検出値に基づいて上記電磁弁の開故障の有無を判定する制御構成を備えていることを特徴とする。
【００１９】
すなわち、請求項６に係る給湯装置では、高温差し湯運転および給湯運転の双方が停止しているときに、電磁弁と直列に配設された流量調整弁の開度を変更し、そのときの流量センサの検出値に基づいて制御部が高温差し湯経路の電磁弁の開故障の有無を判定する。つまり、電磁弁が開故障していれば流量調整弁の開度の変更に伴って流量センサで検出される流量が変化するので、この流量変化の有無から電磁弁が開故障しているか否かを判定する。
【００２０】
本発明の請求項７に記載の給湯装置は、請求項６に記載の給湯装置において、上記給湯用の温水と水源から供給される水とを混合して上記高温差し湯経路に供給する注湯運転用の注湯経路を備え、上記制御部は、上記故障検出手順として、高温差し湯運転、給湯運転および注湯運転が停止している状態で上記流量調整弁の開度を制御し、そのときの上記流量センサの検出値に基づいて上記電磁弁の開故障の有無を判定する制御構成を備えている
ことを特徴とする。
【００２１】
すなわち、請求項７に係る給湯装置では、高温差し湯運転、給湯運転および注湯運転がいずれも停止しているときに、電磁弁と直列に配設された流量調整弁の開度を変更し、そのときの流量センサの検出値に基づいて制御部が高温差し湯経路の電磁弁の開故障の有無を判定する。つまり、電磁弁が開故障していれば流量調整弁の開度の変更に伴って流量センサで検出される流量が変化するので、この流量変化の有無から電磁弁が開故障しているか否かを判定する。
【発明の効果】
【００２２】
本発明によれば、高温差し湯運転用の高温差し湯経路の電磁弁が開故障していると判定されたときに給湯運転を行う場合、制御部は浴槽内の温水の温度の上昇を抑制する所定の安全給湯運転を行うので、給湯運転に伴って高温の温水が高温差し湯経路から浴槽に流入することが抑制される。
【図面の簡単な説明】
【００２３】
【図１】本発明に係る給湯装置の概略構成の一例を示す構成図である。
【発明を実施するための形態】
【００２４】
以下、本発明の実施形態を図面に基づいて説明する。
図１は、本発明に係る給湯装置の一例を示している。この図１に示す給湯装置１は、カランやシャワーなどの給湯栓（図示せず）に温水を供給する給湯機能と、浴槽Ｂに湯張りを行う注湯機能と、浴槽Ｂに差し湯を行う高温差し湯機能とを備えた給湯装置であって、温水の生成を行う缶体２と、缶体２に水を供給するための給水経路３と、給湯栓に給湯温水を供給するための給湯経路４と、浴槽Ｂに差し湯を行うための高温差し湯経路５と、浴槽Ｂへの湯張りのための注湯経路６と、給湯装置１の制御部７と、給湯装置１のリモコン８とを主要部として構成されている。
【００２５】
缶体２は、バーナ１０、一次熱交換器１１、二次熱交換器１２などを収容した金属製の容器で構成されている。バーナ１０は、燃焼ガスによって一次熱交換器１１を加熱する加熱手段であって、本実施形態では、都市ガスやプロパンガスを燃料とするガスバーナで構成されている。なお、バーナ１０の構造は周知であるので詳細な説明は省略するが、図１において、１３はガス供給源からガスを導入するガス管、１４はガス電磁弁、１５はガス比例弁、１６はバーナ１０の燃焼管の燃焼本数を数段階に切り替える能力切替弁を示している。
【００２６】
一次熱交換器１１は、バーナ１０の燃焼ガスによって気−液熱交換を行う熱交換器であって、バーナ１０の直近上方に配置されている。この一次熱交換器１１は、その一端（入水側）が二次熱交換器１２の出水側に接続され、二次熱交換器１２で予熱された低温の温水が入力されるようになっており、その他端（出水側）が給湯経路４の入水側に接続され、一次熱交換器１１で加熱された高温の温水を給湯経路４に供給できるようになっている。
【００２７】
二次熱交換器１２は、一次熱交換器１１で熱交換後の燃焼排ガスによって気−液熱交換を行う熱交換器（潜熱回収型の熱交換器）であって、一次熱交換器１１の上方に配置されている。この二次熱交換器１２は、その一端（入水側）が給水経路３の出水側に接続され、給水経路４から水の供給を受けるようになっており、その他端（出水側）が一次熱交換器１１の入水側に接続され、二次熱交換器１２で加熱した低温の温水を一次熱交換器１１に供給できるようになっている。
【００２８】
給水経路３は、その一端（入水側）が図示しない市水などの水源に接続されるとともに、その他端（出水側）が二次熱交換器１２の入水側に接続されている。そして、この給水経路３には、缶体２への入水流量を検出する缶体水量センサ１７と、缶体２への入水温度を検出する入水温度センサ１８とが備えられている。また、この給水経路３には、水源から供給される水を缶体２を介さずに給湯経路４に供給できるように給湯経路４に接続されたバイパス経路１９が備えられており、このバイパス経路１９にはバイパス経路１９に流れる水の水量を調整するための分配弁２０が備えられている。なお、このバイパス経路１９は、缶体２から出湯された温水に水を混合することで、給湯経路４から出湯される温水の温度を調整するために備えられている。
【００２９】
給湯経路４は、その一端（入水側）が一次熱交換器１１の出水側に接続されるとともに、その他端（出水側）が給湯栓に接続されている。そして、この給湯経路４には、給湯経路４を流れる温水の水量を検出する給湯水量センサ２１と、給湯経路４から出湯する温水の温度を検出する出湯温度センサ２２とが備えられている。なお、給湯水量センサ２１は、給湯経路４においてバイパス経路１９との合流点の下流側に備えられている。また、給湯経路４には、これらの他に、バイパス経路１９から流入した水の逆流を防止する逆止弁２３、給湯経路４からの出湯流量を制限する過流出防止サーボ弁２４、缶体２からの出湯温度を検出する缶体温度センサ２５が備えられている。なお、この缶体温度センサ２５で検出される温度は、後述する缶体設定温度どおりの温水が缶体２から出湯されているかどうかの判断に用いられている。
【００３０】
高温差し湯経路５は、その一端（入水側）が給湯経路４に接続されるとともに、その他端（出水側）が浴槽Ｂ（具体的には、浴槽Ｂの温水吐出口となるアダプタＡ）に接続されている。すなわち、この高温差し湯経路５は、給湯経路４においてバイパス経路１９との合流点より上流側で給湯経路４から分岐され、缶体２から高温の温水が供給されるように構成され、缶体２からの高温の温水（高温差し湯）を浴槽Ｂに供給できるように構成されている。そして、この高温差し湯経路５には、高温差し湯サーボ弁（流量調整弁）２６と、高温差し湯電磁弁（電磁弁）２７とが直列に配設されている。
【００３１】
ここで、高温差し湯サーボ弁２６は、高温差し湯機能の使用時（高温差し湯運転時）に、缶体２から浴槽Ｂに供給する高温の温水の流量を調整するためのサーボ弁であって、高温差し湯電磁弁２７の上流側に配設される。そして、本実施形態では、この高温差し湯サーボ弁２６には、高温差し湯経路５の流路を閉止する閉切り機能を有さないサーボ弁が用いられている。また、高温差し湯電磁弁２７は、高温差し湯サーボ弁２６が閉切り機能を有さないために設けられた流路閉止用の電磁弁であって、高温差し湯機能を使用しないとき（つまり、高温差し湯運転を行わない場合）には弁を閉じるように構成されている。なお、この高温差し湯電磁弁２７として、本実施形態ではパイロット式の電磁弁が用いられている。
【００３２】
注湯経路６は、その一端（入水側）が給湯経路４に接続されるとともに、その他端（出水側）が高温差し湯経路５に接続されている。具体的には、注湯経路６の入水側が給湯経路４の過流出防止サーボ弁２４の下流側に接続されている。そして、この注湯経路６には、注湯機能の使用時（注湯運転時）に注湯経路６を介して浴槽Ｂに供給される温水の水量を検出する注湯水量センサ２８と、注湯機能の使用時に開かれる注湯電磁弁２９と、高温差し湯経路５を介して浴槽Ｂに供給される温水の温度を検出するふろ回路温度センサ３０とが備えられている。また、この注湯経路６には、給水経路３と接続された注水経路９も接続されている。なお、図において、３１，３２は逆止弁を示している。
【００３３】
制御部７は、給湯装置１の各部を制御する制御装置であって、制御中枢として図示しないマイコンを備えている。そして、このマイコンは、上述した各種センサ（各温度センサ１８，２２，２５，３０、各水量センサ１７，２１，２８など）から得られる情報やリモコン８から与えられる指令に基づいて、給湯機能、注湯機能、高温差し湯機能に応じた制御を行うようにプログラムされている。
【００３４】
リモコン８は、給湯装置１の遠隔操作装置であって、このリモコン８には、図示しない操作部（各種操作スイッチ）や表示部（ＬＥＤや液晶パネルなど）が備えられている。なお、このリモコン８により、給湯機能に関して給湯待機状態のオン／オフ切り替えや給湯設定温度の変更、注湯機能に関して注湯開始／停止、注湯設定温度の変更、高温差し湯機能に関して高温差し湯運転の開始／停止などの各種操作ができるようになっている。
【００３５】
次に、このように構成された給湯装置１の動作について説明する。なお、給湯装置１の動作に関して、給湯機能（給湯運転）および注湯機能（注湯運転）については周知であるので、ここではこれらの機能の詳細な説明は省略し、本発明に関連する事項を中心に説明する。
【００３６】
Ａ：給湯機能
給湯機能は、給湯栓から給湯設定温度の温水を出湯させる機能である。この機能は、給湯装置１が給湯待機状態にあるときに給湯栓が開栓され、給湯装置１に最低作動水量以上の通水が生じると機能する（給湯運転が開始される）ように構成されている。給湯運転が開始されると、制御部７は、出湯温度センサ２２で検出される出湯温度が給湯設定温度となるようにバーナ１０の燃焼制御やバイパス経路１９の水量制御（分配弁２０の制御）などを行う。そして、給湯装置１の通水量が最低作動水量未満となるか、あるいは、給湯待機状態が解除（オフ）にされると、制御部７はバーナ１０の燃焼を停止させて給湯運転を終了する。
【００３７】
Ｂ：注湯機能
注湯機能は、注湯経路６を介して浴槽Ｂに湯張りを行う機能である。この機能は、リモコン８などで注湯開始を指示する所定操作が行われることにより機能する（注湯運転が開始される）ように構成されている。注湯運転が開始されると、制御部７は、注湯電磁弁２９を開いて注湯経路６を給湯経路４に連通させるとともに、出湯温度センサ２２で検出される出湯温度が注湯設定温度となるようにバーナ１０の燃焼制御やバイパス経路１９の水量制御などを行う。そして、浴槽Ｂへの湯張りが完了すると注湯運転は停止する。なお、湯張りが完了したか否かの判断は、たとえば、注湯水量センサ２８で検出される水量の積算値が所定値に到達したかなどにより判断する。
【００３８】
Ｃ：高温差し湯機能
高温差し湯機能は、缶体２から出湯する高温の温水を高温差し湯経路５を介して浴槽Ｂに供給する機能である。この機能は、リモコン８などで高温差し湯の開始を指示する所定操作が行われることにより機能する（高温差し湯運転が開始される）ように構成されている。高温差し湯運転が開始されると、制御部７は、高温差し湯電磁弁２７を開き、缶体２からの出湯温度が所定の缶体設定温度（たとえば、８０℃）となるようにバーナ１０の燃焼制御を行いながら、高温差し湯サーボ弁２６の開度を制御し、缶体水量が所定水量（たとえば、４Ｌ／ｍｉｎ）となるようにする。そして、高温差し湯運転を終了するときは、制御部７は、高温差し湯サーボ弁２６を閉める（弁の開度を絞る）とともに、高温差し湯電磁弁２７を閉じる。なお、高温差し湯運転の終了は、たとえば、アダプタＡに浴槽Ｂ内の湯水の温度を検出する浴槽温度センサ（図示せず）を備えさせておき、この温度センサで一定の温度上昇が検出されたり、あるいは、高温差し湯運転開始から一定水量の温水を浴槽Ｂに供給したときに終了するように構成される。
【００３９】
ところで、この高温差し湯運転が終了すると、高温差し湯サーボ弁２６および高温差し湯電磁弁２７はいずれも閉じられるが、上述したように、本実施形態に示す給湯装置１の高温差し湯サーボ弁２６には閉切り機能がないことから、このときに高温差し湯電磁弁２７が開故障すれば、缶体２から出湯した温水が高温差し湯経路５を介して浴槽Ｂに流入してしまう。そして、この状態で給湯運転が開始されると、缶体設定温度に加熱された高温の温水（給湯運転時の缶体設定温度は、バイパス経路１９から供給される水との混合を前提にするので高温になる）が高温差し湯経路５を介して浴槽Ｂに流れ込み、浴槽Ｂ内の湯水の温度が過度に上昇（異常加熱）するおそれがある。
【００４０】
そのため、本実施形態に示す給湯装置１では、制御部７が高温差し湯電磁弁２７の開故障の有無を判定するための故障検出手順（故障検出用のソフトウェア）を備えており、高温差し湯電磁弁２７の開故障が検出されている状態で給湯運転を開始する場合には、所定の安全給湯運転を行うように構成されている。
【００４１】
制御部７に備えられる高温差し湯電磁弁２７の故障検出手順は以下のとおりである。
Ｄ：高温差し湯電磁弁の故障検出手順（１）
すなわち、制御部７は、高温差し湯運転が停止している状態で給湯運転が開始されると、この給湯運転中のふろ回路温度センサ３０の検出値を監視し、検出値の上昇が検出されると、高温差し湯電磁弁２７が開故障していると判定する。
【００４２】
これは、高温差し湯運転の停止中は、高温差し湯電磁弁２７を閉じる制御が行われているので、高温差し湯電磁弁２７が正常に閉じていれば（高温差し湯経路５が閉止されていれば）、高温差し湯経路５から浴槽Ｂに温水が流れることがなく、ふろ回路温度センサ３０の検出値は変化しないのに対し、高温差し湯電磁弁２７が開故障していれば、給湯運転の開始に伴って缶体２から高温差し湯経路５に高温の温水が流れ、それによってふろ回路温度センサ３０の検出値が上昇するからである。
【００４３】
具体的には、この故障検出手順の実行にあたり、制御部７は、たとえば、給湯運転の開始直後にふろ回路温度センサ３０の検出値Ｔｈ０を取得する。そして、給湯運転が継続している間、一定周期でふろ回路温度センサ３０の検出値Ｔｈｘを取得し、取得したＴｈｘを最初に取得した検出値Ｔｈ０と比較する。そして、Ｔｈ０＜Ｔｈｎであれば、次のタイミングで新たに検出値Ｔｈｘを取得し、再び最初に取得した検出値Ｔｈ０と比較する。そして、Ｔｈ０＋Ｘ℃（たとえば、Ｘ＝８℃）≦Ｔｈｘが一定時間（たとえば、２５秒）継続すると、高温差し湯電磁弁２７は開故障していると判定する。
【００４４】
なお、この故障検出手順の実行にあたっては、最初に取得する検出値Ｔｈ０に下限値（たとえば、４２℃）を設定しておくことができる。これにより、缶体２から出湯される温水の温度が低い場合に高温差し湯電磁弁２７の故障検出による安全給湯運転への移行を回避することができる。また、検出する温度上昇幅Ｘ℃は、時間帯や季節など周囲の環境温度に応じて適宜設定変更可能である。
【００４５】
なお、この故障検出にあたり、本実施形態のように注湯経路６（注湯機能）を備える給湯装置１では、高温差し湯運転および注湯運転の双方が停止している状態での給湯運転時におけるふろ回路温度センサ３０の検出値に基づいて高温差し湯電磁弁２７の開故障の有無を判定するように構成される。注湯運転が停止している状態を開故障の判定条件としているのは、注湯機能を有する給湯装置１では、注湯運転の開始によって温水が注湯経路６を通って浴槽Ｂに供給されるので、高温差し湯電磁弁２７が開故障していたとしても、高温差し湯サーボ弁２６によって流路が狭められている高温差し湯経路５と、注湯経路６とのそれぞれの圧損の差によって、高温差し湯経路５にはほとんど湯水が流れなくなり、注湯運転中は高温差し湯電磁弁２７の開故障の有無が判定できないからである。
【００４６】
ここで、このようにふろ回路温度センサ３０を用いて高温差し湯電磁弁２７の開故障の検出を行う構成の場合、ふろ回路温度センサ３０が故障等していると高温差し湯電磁弁２７の開故障を正確に検出することができない。そのため、本実施形態に示す給湯装置１では、ふろ回路温度センサ３０に異常がないか否かを以下のようにして判定するように構成されている。
【００４７】
すなわち、制御部７は、高温差し湯運転が停止している状態で注湯運転が行われると、この注湯運転中に出湯温度センサ２２とふろ回路温度センサ３０の検出値を比較し、両検出値の差が一定範囲内にあるか（つまり、両検出値が一致しているか）否かを判定する。そして、この判定の結果、両検出値の差が一定範囲内にあれば、ふろ回路温度センサ３０は正常であると判定する。すなわち、高温差し湯運転が停止している状態で注湯運転を行うと、注湯経路６には給湯経路４からの温水のみが供給されるので、出湯温度センサ２２とふろ回路温度センサ３０が双方とも正常であれば両検出値は一致（ほぼ一致）するからである。一方、出湯温度センサ２２とふろ回路温度センサ３０の検出値を比較し、両検出値の差が一定範囲外となった場合、制御部７は、ふろ回路温度センサ３０は異常であると判定する。
【００４８】
なお、これらの判定は出湯温度センサ２２が正常であることを前提とするので、この判定を行う前に、制御部７は、出湯温度センサ２２が正常であるか否かの判定を行っておく。すなわち、たとえば、制御部７は、給湯運転が所定時間以上停止しているときに、入水温度センサ１８と出湯温度センサ２２の検出値を比較して、両検出値の差が一定範囲内にあるか（つまり、両検出値が一致しているか）否かを判定し、この判定の結果、両検出値の差が一定範囲内にあれば、出湯温度センサ２２は正常であると判定する。
【００４９】
Ｅ：高温差し湯電磁弁の故障検出手順（２）
次に、高温差し湯電磁弁２７の故障検出手順の他の実施態様を説明する。
この実施態様では、制御部７は、高温差し湯運転および給湯運転が停止している状態で高温差し湯サーボ弁２６の開度を制御し、そのときの缶体水量センサ１７の検出値に基づいて、高温差し湯電磁弁２７の開故障の有無を判定する。
【００５０】
具体的には、制御部７は、高温差し湯運転および給湯運転が停止しているときに、高温差し湯電磁弁２７を閉じたままの状態で、まず、高温差し湯サーボ弁２６を開方向に作動させてこのときに缶体水量センサ１７で所定水量以上の通水が検出されているか否かを判断し、この判断で所定水量以上の通水が検出されていれば、次に、高温差し湯サーボ弁３６を閉方向に作動させてそのときに缶体水量センサ１７が所定水量未満に低下しているか否かを判断する。
【００５１】
ここで、高温差し湯電磁弁２７が開故障していれば、このような高温差し湯サーボ弁２６の開閉にともなって缶体水量センサ１７で検出される水量が変化するので、制御部７は、その変化の有無から高温差し湯電磁弁２７が開故障しているか否かを判定する。なお、この故障検出手順において、高温差し湯サーボ弁３６を開方向に作動させるだけでなく、閉方向にも作動させるのは、給湯経路４への通水などによる誤検出を防止するためである。
【００５２】
なお、この故障検出にあたり、本実施形態のように給湯装置１が注湯経路６（注湯機能）を備える場合には、高温差し湯運転、給湯運転および注湯運転のすべてが停止しているときに高温差し湯サーボ弁２６の開度を制御して故障検出を行う。これは、故障検出中に注湯運転が開始されると缶体水量センサ１７の検出値が変化し、誤判定を招くおそれがあるからである。
【００５３】
次に、安全給湯運転について説明する。この安全給湯運転は、高温差し湯電磁弁２７が開故障している場合だけでなく、ふろ回路温度センサ３０が異常であると判定した場合にも実行される。
【００５４】
Ｆ：安全給湯運転（１）
高温差し湯電磁弁２７の開故障が検出された状態またはふろ回路温度センサ３０の異常が検出された状態で給湯運転を行う場合、制御部７は、同じ給湯設定温度の温水を出湯するために、缶体２から出湯する温水の設定温度（缶体設定温度）を、高温差し湯電磁弁２７の開故障が検出されていないときの設定温度よりも低い所定の安全温度Ｔｓに変更して給湯運転を行う。
【００５５】
すなわち、高温差し湯電磁弁２７が開故障していない場合の缶体設定温度は、通常、６０℃程度に設定されるので、安全給湯運転時には、この缶体設定温度を、給湯設定温度に所定値α（αは数℃、たとえば２℃）を加えた温度に変更して給湯運転を行う。ここで、缶体設定温度を給湯設定温度＋α℃とするのは、この程度の温度の温水が浴槽Ｂに流入しても危険でないこと、および、数℃程度の温度差であれば、バイパス経路１９の通水量を絞ることで給湯設定温度の温水を給湯栓に供給できる（給湯機能を損なわずに使用できる）からである。
【００５６】
Ｇ：安全給湯運転（２）
次に、安全給湯運転の他の実施態様を説明する。
この実施態様では、高温差し湯電磁弁２７の開故障が検出された状態またはふろ回路温度センサ３０の異常が検出された状態で給湯運転を行う場合、制御部７は、給湯運転の連続運転許容時間を、開故障が検出されていないときの許容時間よりも短い所定の安全時間ｔｓに変更して給湯運転を行う。
【００５７】
すなわち、高温差し湯電磁弁２７が開故障していない場合における給湯運転の連続運転許容時間は、通常、たとえば６０分に設定されている。つまり、給湯運転が６０分間継続した場合、制御部７は、強制的に給湯運転を終了するようになっている。この実施態様では、安全給湯運転を開始すると、制御部７は、この連続運転許容時間を、たとえば２０分に短縮する。このように２０分程度の短時間の連続運転であれば、浴槽Ｂに高温の温水が供給されても浴槽Ｂ内の湯水が高温（たとえば、５０℃以上）になるおそれは少なく、危険性は高くない。
【００５８】
Ｈ：安全給湯運転の報知
このように、本実施形態に示す給湯装置１では、高温差し湯電磁弁２７の開故障が検出された状態またはふろ回路温度センサ３０の異常が検出された状態で給湯運転を行う場合、制御部７は所定の安全給湯運転を行うが、その際、制御部７は、安全給湯動作を行っている旨をリモコン８の表示部に表示する。また、この表示に代えて、または、この表示と合わせて、安全給湯運転が高温差し湯電磁弁２７の故障によるものであるか、あるいは、ふろ回路温度センサ３０の異常によるものであるかも表示するように構成される。
【００５９】
なお、上述した実施形態は本発明の好適な実施態様を示すものであって、本発明はこれに限定されることなく発明の範囲内で種々の設計変更が可能である。
【００６０】
たとえば、上述した実施形態では、給湯装置１としてガスを燃料とするガス給湯装置を例示したが、オイルなどガス以外を燃料とする給湯装置にも本発明は適用可能である。
【００６１】
また、上述した実施形態では、給湯装置１として、いわゆる潜熱回収型の給湯装置を用いた場合を示したが、潜熱回収型以外の給湯装置にも本発明は適用可能である。
【００６２】
また、上述した実施形態では、温水暖房機能を備えていない給湯装置に本発明を適用した場合を示したが、温水暖房機能を備えた給湯装置にも本発明は適用可能である。
【符号の説明】
【００６３】
１              給湯装置
２              缶体
３              給水経路
４              給湯経路
５              高温差し湯経路
６              注湯経路
７              制御部
８              リモコン
１０            バーナ
１１            一次熱交換器
１２            二次熱交換器
１４            ガス電磁弁
１５            ガス比例弁
１６            能力切替弁
１７            缶体水量センサ
１８            入水温度センサ
１９            バイパス経路
２０            分配弁
２１            給湯水量センサ
２２            出湯温度センサ
２５            缶体温度センサ
２６            高温差し湯サーボ弁（流量調整弁）
２７            高温差し湯電磁弁（電磁弁）
２８            注湯水量センサ
２９            注湯電磁弁
３０            ふろ回路温度センサ（温度センサ）
Ａ              アダプタ
Ｂ              浴槽
【図１】
2015222134.tif 000003